(57)【要約】【課題】  リード板の開口部を通じた水や異物の侵入を抑制する。【解決手段】  バッテリパックは、バッテリセルと、バッテリセルの第１端に電気的に接続された第１リード板と、第１リード板に沿って配置され、第１リード板を外側から覆う第１外側防水シートとを備える。第１リード板には、開口部が形成されており、第１外側防水シートの内面には、第１リード板に向けて突出するとともに、開口部を取り囲むリング状の突出部が形成されている。【選択図】図８
2020087874.tif 000002
【特許請求の範囲】
【請求項１】
バッテリセルと、
前記バッテリセルの第１端に電気的に接続された第１リード板と、
前記第１リード板に沿って配置され、前記第１リード板を外側から覆う第１外側防水シートと、
を備え、
前記第１リード板には、開口部が形成されており、
前記第１外側防水シートの内面には、前記第１リード板に向けて突出するとともに、前記開口部を取り囲むリング状の突出部が設けられている、
バッテリパック。
【請求項２】
前記第１外側防水シートの前記内面には、前記リング状の突出部に沿って延びる溝が設けられている、請求項１に記載のバッテリパック。
【請求項３】
前記第１リード板は、前記バッテリセルの前記第１端に接触するコンタクト部を有し、
前記開口部は、前記コンタクト部に設けられており、前記バッテリセルの前記第１端を露出している、請求項１又は２に記載のバッテリパック。
【請求項４】
前記バッテリセルと前記第１リード板との間に配置され、前記第１リード板の前記コンタクト部を取り囲む第１内側防水シートをさらに備える、請求項３に記載のバッテリパック。
【請求項５】
前記第１内側防水シートには、前記第１リード板に向けて突出するとともに、前記第１リード板の前記コンタクト部を取り囲むリング状の突出部が設けられている、請求項４に記載のバッテリパック。
【請求項６】
前記バッテリセルの前記第１端とは反対側に位置する第２端に電気的に接続された第２リード板と、
前記第２リード板に沿って配置され、前記第２リード板を外側から覆う第２外側防水シートと、をさらに備え、
前記第２リード板には、開口部が形成されており、
前記第２外側防水シートの内面には、前記第２リード板に向けて突出するとともに、前記第２リード板の前記開口部を取り囲むリング状の突出部が設けられている、請求項５に記載のバッテリパック。
【請求項７】
前記第２外側防水シートの前記内面には、前記第２外側防水シートの前記リング状の突出部に沿って延びるリング状の溝が設けられている、請求項６に記載のバッテリパック。
【請求項８】
前記第２リード板は、前記バッテリセルの前記第２端に接触するコンタクト部を有し、
前記第２リード板の前記開口部は、前記第２リード板の前記コンタクト部に設けられており、前記バッテリセルの前記第２端を露出している、請求項６又は７に記載のバッテリパック。
【請求項９】
前記バッテリセルと前記第２リード板との間に配置され、前記第２リード板の前記コンタクト部を取り囲む第２内側防水シートをさらに備える、請求項８に記載のバッテリパック。
【請求項１０】
前記第２内側防水シートには、前記第２リード板に向けて突出するとともに、前記第２リード板の前記コンタクト部を取り囲むリング状の突出部が設けられている、請求項９に記載のバッテリパック。
【請求項１１】
前記バッテリセル、前記第１リード板及び前記第１外側防水シートを互いに固定するバッテリホルダをさらに備える、請求項１から１０のいずれか一項に記載のバッテリパック。
【請求項１２】
前記バッテリホルダを収容するハウジングをさらに備える、請求項１１に記載のバッテリパック。
【発明の詳細な説明】
【技術分野】
【０００１】
本発明は、電動工具といった電気機器に用いられるバッテリパックに関する。
【背景技術】
【０００２】
特許文献１に、バッテリパックが開示されている。このバッテリパックは、バッテリセルと、バッテリセルの一端に電気的に接続されたリード板と、バッテリセルとリード板との間に設けられた防水シートとを備える。
【先行技術文献】
【特許文献】
【０００３】
【特許文献１】特開２０１４−３２８６２号公報
【発明の概要】
【発明が解決しようとする課題】
【０００４】
従来のバッテリパックの一部では、様々な理由によって、リード板に開口部が設けられている。リード板に開口部が設けられていると、開口部から水や異物が侵入するおそれがある。本明細書は、このようなリード板の開口部を通じた水や異物の侵入を抑制し得る技術を提供する。
【課題を解決するための手段】
【０００５】
本明細書が開示するバッテリパックは、バッテリセルと、バッテリセルの第１端に電気的に接続された第１リード板と、第１リード板に沿って配置され、第１リード板を外側（即ち、バッテリセルとは反対側）から覆う第１外側防水シートとを備える。第１リード板には、開口部が形成されており、第１外側防水シートの内面には、第１リード板に向けて突出するとともに、開口部を取り囲むリング状の突出部が形成されている。
【０００６】
上記したバッテリパックでは、第１リード板の開口部が、第１外側防水シートによって覆われている。特に、第１外側防水シートには、リング状の突出部が設けられており、第１リード板の開口部は、リング状の突出部によって取り囲まれている。リング状の突出部が、第１リード板に強く接触することで、第１リード板と第１外側防水シートとの間が十分に密閉される。これにより、第１リード板の開口部を通じた水や異物の侵入が有意に抑制される。
【図面の簡単な説明】
【０００７】
【図１】実施例のバッテリパック１０の外観を示す斜視図。
【図２】バッテリパック１０の分解図。
【図３】バッテリホルダ１４の分解図。
【図４】複数の第１リード板２０を示す図。
【図５】図４中のＶ部を拡大して示す図。
【図６】第１外側防水シート３４を示す図。
【図７】第１内側防水シート３６を示す図。
【図８】バッテリセル１２、第１リード板２０、第１外側防水シート３４及び第１内側防水シート３６を模式的に示す断面図。
【図９】複数の第２リード板２２を示す図。
【図１０】第２外側防水シート３８を示す図。
【図１１】第２内側防水シート４０を示す図。
【図１２】バッテリセル１２、第２リード板２２、第２外側防水シート３８及び第２内側防水シート４０を模式的に示す断面図。
【発明を実施するための形態】
【０００８】
本技術の一実施形態において、第１外側防水シートの内面には、リング状の突出部に沿って延びる溝が設けられていてもよい。この溝は、リング状の突出部の内側及び外側の一方又は両方に設けることができる。このような構成によると、リング状の突出部が、第１リード板との接触に伴って変形し易くなるので、第１リード板と第１外側防水シートとの間の密閉性を高めることができる。
【０００９】
本技術の一実施形態において、第１リード板は、バッテリセルの第１端に接触するコンタクト部を有してもよい。この場合、開口部は、コンタクト部に設けられており、バッテリセルの第１端を露出していてもよい。コンタクト部に開口部（例えばスリット）が設けられていると、コンタクト部をバッテリセルの第１端へスポット溶接（抵抗溶接）するときに、溶接電流をリード板とバッテリセルとの間で確実に通電させることができる。その一方で、コンタクト部に開口部が設けられていると、バッテリセルの第１端が開口部から露出する。この場合、開口部から侵入する水や異物によって、バッテリセルの第１端が汚染されるおそれが生じる。しかしながら、前述したリング状の突出部が、開口部を通じた水や異物の侵入を抑制することで、バッテリセルの汚染は効果的に防止される。
【００１０】
上記した実施形態において、バッテリパックは、バッテリセルと第１リード板との間に配置された第１内側防水シートをさらに備えてもよい。この場合、第１内側防水シートは、第１リード板のコンタクト部を取り囲むとよい。このような構成によると、バッテリセルと第１リード板との間も密閉されることで、第１リード板のコンタクト部や、それに接続されたバッテリセルの第１端が、水や異物で汚染されることを防止することができる。
【００１１】
上記した実施形態において、第１内側防水シートには、第１リード板に向けて突出するとともに、第１リード板のコンタクト部を取り囲むリング状の突出部が設けられていてもよい。このような構成によると、バッテリセルと第１リード板との間の密閉性を高めることができる。
【００１２】
本技術の一実施形態において、バッテリパックは、バッテリセルの第１端とは反対側に位置する第２端に電気的に接続された第２リード板と、第２リード板に沿って配置され、第２リード板を外側から覆う第２外側防水シートとをさらに備えてもよい。この場合、第２リード板には開口部が形成されており、第２外側防水シートの内面には、第２リード板に向けて突出するとともに、第２リード板の開口部を取り囲むリング状の突出部が設けられていてもよい。このような構成によると、第２リード板の開口部を通じた水や異物の侵入も有意に抑制することができる。
【００１３】
上記した実施形態において、第２外側防水シートの内面には、リング状の突出部に沿って延びるリング状の溝が設けられていてもよい。この溝は、リング状の突出部の内側及び外側の一方又は両方に設けることができる。このような構成によると、リング状の突出部が、第２リード板との接触に伴って変形し易くなるので、第２リード板と第２外側防水シートとの間の密閉性を高めることができる。
【００１４】
本技術の一実施形態において、第２リード板は、バッテリセルの第２端に接触するコンタクト部を有してもよい。この場合、第２リード板の開口部は、第２リード板のコンタクト部に設けられており、バッテリセルの第２端を露出していてもよい。このような構成によると、第２リード板の開口部から露出するバッテリセルの第２端が、水や異物で汚染されることを抑制することができる。
【００１５】
上記した実施形態において、バッテリパックは、バッテリセルと第２リード板との間に配置された第２内側防水シートをさらに備えてもよい。この場合、第２内側防水シートは、第２リード板のコンタクト部を取り囲むとよい。このような構成によると、バッテリセルと第２リード板との間も密閉されることで、第２リード板のコンタクト部や、それに接続されたバッテリセルの第２端が、水や異物で汚染されることを防止することができる。
【００１６】
上記した実施形態において、第２内側防水シートには、第２リード板に向けて突出するとともに、第２リード板の開口部を取り囲むリング状の突出部が設けられていてもよい。このような構成によると、バッテリセルと第２リード板との間の密閉性を高めることができる。
【００１７】
本技術の一実施形態において、バッテリパックは、バッテリセル、第１リード板及び第１外側防水シートを互いに固定するバッテリホルダをさらに備えてもよい。加えて、バッテリパックは、バッテリホルダを収容するハウジングをさらに備えてもよい。なお、バッテリホルダやバッテリパックの具体的な構成は特に限定されない。
【実施例】
【００１８】
（実施例）図面を参照して、実施例のバッテリパック１０について説明する。本実施例のバッテリパック１０は、再充電可能な蓄電装置であり、電動工具といった電気機器（図示省略）に電力を供給する電源として、電気機器に着脱可能に取り付けられる。図１、図２に示すように、バッテリパック１０は、複数のバッテリセル１２、複数のバッテリセル１２を保持するバッテリホルダ１４、及び、バッテリホルダ１４に固定されているととともに、複数のバッテリセル１２と電気的に接続された回路基板１６を備える。また、バッテリパック１０は、複数のバッテリセル１２、バッテリホルダ１４及び回路基板１６を収容しているハウジング１８を備える。
【００１９】
複数のバッテリセル１２は、バッテリホルダ１４によって、互いに平行に保持されている。各々のバッテリセル１２は、再充電可能なバッテリセルである。一例ではあるが、本実施例における各々のバッテリセル１２は、リチウムイオンバッテリセルであり、略４ボルトの公称電圧を有する。また、複数のバッテリセル１２の合計数は３２本であり、互いに並列に接続された２本のバッテリセル１２を一組として、１６組のバッテリセル１２が直列に接続されている。これにより、バッテリパック１０は、略６４ボルトの公称電圧を有している。
【００２０】
バッテリホルダ１４は、絶縁材料（例えば、樹脂材料）で構成されている。詳しくは後述するが、バッテリホルダ１４には、複数の第１リード板２０及び複数の第２リード板２２が組み込まれている。複数の第１リード板２０は、バッテリホルダ１４の一方の側壁に配置されており、複数の第２リード板２２は、バッテリホルダ１４の他方の側壁に配置されている。複数のバッテリセル１２は、複数の第１リード板２０及び複数の第２リード板２２を介して、互いに電気的に接続されている。また、各々の第１リード板２０及び各々の第２リード板２２は、回路基板１６に電気的に接続されている。
【００２１】
回路基板１６は、複数の第１リード板２０及び複数の第２リード板２２を介して、複数のバッテリセル１２に電気的に接続されている。回路基板１６は、各々の第１リード板２０及び各々の第２リード板２２の電圧を検出可能であり、それによって、各々のバッテリセル１２の電圧を把握することができる。加えて、回路基板１６には、電気機器と接続するための複数の外部接続端子２４が設けられている。複数の外部接続端子２４には、一対の電力端子と、いくつかの通信端子とが含まれている。一対の電力端子は、複数のバッテリセル１２と電気的に接続されており、複数のバッテリセル１２からの放電電力を電気機器へ出力する。また、一対の電力端子は、充電器（図示省略）と電気的に接続し、充電器から複数のバッテリセル１２への充電電力を受け入れる。通信端子は、回路基板１６に設けられたプロセッサ（図示省略）に接続されている。
【００２２】
ハウジング１８は、略直方体の外形を有しており、樹脂材料で構成されている。ハウジング１８の上面には、電気機器と係合するための係合構造１８ａや、電気機器の接続端子を受け入れる複数の開口部１８ｂ（例えばスリット）が形成されている。複数の開口部１８ｂの内部には、回路基板１６上の複数の外部接続端子２４がそれぞれ配置されている。なお、ここで説明するハウジング１８の構成は一例であり、ハウジング１８の具体的な構成については適宜変更することができる。
【００２３】
次に、図３を参照して、バッテリホルダ１４の構造について説明する。バッテリホルダ１４は、第１ホルダ本体２６と第２ホルダ本体２８とを備える。第１ホルダ本体２６と第２ホルダ本体２８は、複数のバッテリセル１２を挟んで互いに固定されており、複数のバッテリセル１２を平行に保持している。第１ホルダ本体２６には、複数のバッテリセル１２の第１端１２ａを露出する複数の貫通孔２６ａが形成されており、第２ホルダ本体２８には、複数のバッテリセル１２の第２端１２ｂを露出する複数の貫通孔２８ａが形成されている。
【００２４】
なお、複数のバッテリセル１２の向きは同一ではない。即ち、一部のバッテリセル１２は、第１端１２ａに正極を有するとともに第２端１２ｂに負極を有し、他のバッテリセル１２は、第１端１２ａに負極を有するとともに、第２端１２ｂに正極を有する。但し、いずれのバッテリセル１２についても、第１端１２ａからその反対側に位置する第２端１２ｂまで延びる柱形状を有している。
【００２５】
バッテリホルダ１４はさらに、第１ホルダカバー３０と第２ホルダカバー３２とを備える。第１ホルダカバー３０は、複数の第１リード板２０を挟んで、第１ホルダ本体２６に取り付けられており、複数の第１リード板２０を第１ホルダ本体２６に対して（即ち、複数のバッテリセル１２に対して）固定している。第２ホルダカバー３２は、複数の第２リード板２２を挟んで、第２ホルダ本体２８に取り付けられており、複数の第２リード板２２を第２ホルダ本体２８に対して（即ち、複数のバッテリセル１２に対して）固定している。
【００２６】
第１ホルダカバー３０と複数の第１リード板２０との間には、第１外側防水シート３４が設けられており、複数の第１リード板２０と第１ホルダ本体２６との間には、第１内側防水シート３６が設けられている。第１外側防水シート３４及び第１内側防水シート３６は、シリコーンゴムで構成されており、水分や微細な異物の侵入を禁止する。なお、複数の第１リード板２０は、ラミネート加工により、一対のフィルム２１間で一体的に保持されている。同様に、第２ホルダカバー３２と複数の第２リード板２２との間には、第２外側防水シート３８が設けられており、複数の第２リード板２２と第２ホルダ本体２８との間には、第２内側防水シート４０が設けられている。第２外側防水シート３８及び第２内側防水シート４０もまた、シリコーンゴムで構成されており、水分や微細な異物の侵入を禁止する。複数の第２リード板２２についても、ラミネート加工により、一対のフィルム２３間で一体的に保持されている。なお、各々の防水シート３４、３６、３８、４０は、シリコーンゴムに限定されず、例えばエラストマーといった他の高分子材料のような、その他の遮水性を有する柔軟な材料で構成されてもよい。
【００２７】
図４、図５、図８を参照して、複数の第１リード板２０について説明する。複数の第１リード板２０は、バッテリセル１２の長手方向に垂直な平面に沿って配列されている。各々の第１リード板２０は、複数のコンタクト部２０ａと、ターミナル部２０ｂとを有している。各々の第１リード板２０は、コンタクト部２０ａにおいて複数のバッテリセル１２と電気的に接続され、ターミナル部２０ｂにおいて回路基板１６と電気的に接続される。各々のコンタクト部２０ａは、複数のバッテリセル１２に向けて突出しており、対応する一つのバッテリセル１２の第１端１２ａに接触している。一例ではあるが、各々のコンタクト部２０ａは、バッテリセル１２の第１端１２ａにスポット溶接（抵抗溶接）されており、複数の溶接部２０ｄを有している。
【００２８】
各々の第１リード板２０には、一又は複数の第１開口部２０ｃが設けられている。第１開口部２０ｃは、コンタクト部２０ａに設けられている。第１開口部２０ｃは、十字形状のスリットであり、隣接する二つの溶接部２０ｄの間に介在する。コンタクト部２０ａに開口部２０ｃが設けられていると、コンタクト部２０ａをバッテリセル１２の第１端１２ａへスポット溶接（抵抗溶接）するときに、溶接電流をリード板２０とバッテリセル１２との間で確実に通電させることができる。本実施例における第１開口部２０ｃは、十字形状のスリットであるが、第１開口部２０ｃの形状は特に限定されない。第１開口部２０ｃでは、バッテリセル１２の第１端１２ａが露出している。各々の第１リード板２０にはさらに、一又は複数の第２開口部２０ｅが設けられている。第２開口部２０ｅは、第１リード板２０の位置決めのために設けられており、位置決めピン（図示省略）を受け入れる。
【００２９】
図６、図８を参照して、第１外側防水シート３４について説明する。第１外側防水シート３４は、複数の第１リード板２０に沿って配置され、複数の第１リード板２０を外側（即ち、複数のバッテリセル１２に対して反対側）から覆う。第１外側防水シート３４の内面３４ａには、複数の第１突出部３４ｂが設けられている。各々の第１突出部３４ｂは、第１リード板２０に向けて突出しており、第１リード板２０の第１開口部２０ｃを取り囲むように、リング状に設けられている。リング状の第１突出部３４ｂが、第１リード板２０に強く接触することで、第１リード板２０と第１外側防水シート３４との間が十分に密閉される。これにより、第１リード板２０の第１開口部２０ｃを通じた水や異物の侵入が有意に抑制され、第１開口部２０ｃにおいて露出するバッテリセル１２の第１端１２ａの汚染（あるいは腐食）が防止される。
【００３０】
第１外側防水シート３４の内面３４ａには、各々の第１突出部３４ｂに対して、外側溝３４ｃ及び内側溝３４ｄが設けられている。外側溝３４ｃは、第１突出部３４ｂの外側に位置しており、第１突出部３４ｂに沿ってリング状に延びている。内側溝３４ｄは、第１突出部３４ｂの内側に位置しており、第１突出部３４ｂに沿ってリング状に延びている。このような構成によると、リング状の第１突出部３４ｂが、第１リード板２０との接触に伴って変形し易くなるので、第１リード板２０と第１外側防水シート３４との間の密閉性を高めることができる。
【００３１】
第１外側防水シート３４の内面３４ａには、複数の第２突出部３４ｅがさらに設けられている。各々の第２突出部３４ｅは、第１リード板２０に向けて突出しており、第１リード板２０の第２開口部２０ｅを取り囲むように、リング状に設けられている。リング状の第２突出部３４ｅについても、第１リード板２０に強く接触することで、第１リード板２０と第１外側防水シート３４との間が十分に密閉される。これにより、第１リード板２０の第２開口部２０ｅを通じた水や異物の侵入が有意に抑制され、バッテリセル１２の汚染（あるいは腐食）が防止される。なお、第１外側防水シート３４の内面３４ａには、各々の第２突出部３４ｅに対して、外側溝３４ｆ及び内側溝３４ｇが設けられている。外側溝３４ｆは、第２突出部３４ｅの外側に位置しており、第２突出部３４ｅに沿ってリング状に延びている。内側溝３４ｇは、第２突出部３４ｅの内側に位置しており、第２突出部３４ｅに沿ってリング状に延びている。
【００３２】
図７、図８を参照して、第１内側防水シート３６について説明する。第１内側防水シート３６は、複数のバッテリセル１２と複数の第１リード板２０との間に位置する。第１内側防水シート３６には、複数のバッテリセル１２の位置（あるいは、複数の第１リード板２０のコンタクト部２０ａ）に合わせて、複数の開口部３６ａが形成されている。これにより、第１内側防水シート３６は、複数の第１リード板２０に設けられた複数のコンタクト部２０ａを、それぞれ取り囲んでいる。第１内側防水シート３６は、バッテリセル１２と第１リード板２０との間を密閉する。従って、第１リード板２０のコンタクト部２０ａや、それに接続されたバッテリセル１２の第１端１２ａが、水や異物で汚染されることが防止される。
【００３３】
第１内側防水シート３６には、第１リード板２０に向けて突出するとともに、第１リード板２０の第１開口部２０ｃ又は第２開口部２０ｅを取り囲むリング状の突出部３６ｂ、３６ｅが設けられている。なお、第１開口部２０ｃを取り囲む突出部３６ｂは、第１開口部２０ｃだけでなく、第１リード板２０のコンタクト部２０ａの全体を取り囲んでいる。また、第１内側防水シート３６には、各々の突出部３６ｂ、３６ｅに対して、外側溝３６ｃ、３６ｆ及び内側溝３６ｄ、３６ｇが設けられている。これにより、バッテリセル１２と第１リード板２０との間の密閉性が高められている。
【００３４】
本実施例のバッテリパック１０では、上述した第１リード板２０、第１外側防水シート３４及び第１内側防水シート３６の構成が、第２リード板２２、第２外側防水シート３８及び第２内側防水シート４０にも採用されている。図９、図１２に示すように、複数の第２リード板２２は、バッテリセル１２の長手方向に垂直な平面に沿って配列されている。各々の第２リード板２２は、複数のコンタクト部２２ａと、ターミナル部２２ｂとを有している。各々の第２リード板２２は、コンタクト部２２ａにおいて複数のバッテリセル１２と電気的に接続され、ターミナル部２２ｂにおいて回路基板１６と電気的に接続される。各々のコンタクト部２２ａは、複数のバッテリセル１２に向けて突出しており、対応する一つのバッテリセル１２の第２端１２ｂに接触している。各々のコンタクト部２２ａは、バッテリセル１２の第２端１２ｂにスポット溶接（抵抗溶接）されており、複数の溶接部２２ｄを有している。
【００３５】
各々の第２リード板２２には、一又は複数の第３開口部２２ｃと、一又は複数の第４開口部２２ｅが設けられている。第３開口部２２ｃは、第２リード板２２のコンタクト部２２ａに設けられており、バッテリセル１２の第２端１２ｂを露出させている。第２開口部２０ｅは、第２リード板２２の位置決めのために設けられている。
【００３６】
図１０、図１２に示すように、第２外側防水シート３８は、複数の第２リード板２２に沿って配置され、複数の第２リード板２２を外側（即ち、複数のバッテリセル１２に対して反対側）から覆う。第２外側防水シート３８の内面３８ａには、複数の第３突出部３８ｂと、複数の第４突出部３８ｅが設けられている。各々の第３突出部３８ｂは、第２リード板２２に向けて突出しており、第２リード板２２の第３開口部２２ｃを取り囲むように、リング状に設けられている。各々の第４突出部３８ｅは、第２リード板２２に向けて突出しており、第２リード板２２の第４開口部２２ｅを取り囲むように、リング状に設けられている。これにより、第２リード板２２の開口部２２ｃ、２２ｅを通じた水や異物の侵入が有意に抑制される。
【００３７】
図１１、図１２に示すように、第２内側防水シート４０は、複数のバッテリセル１２と複数の第２リード板２２との間に位置する。第２内側防水シート４０には、複数のバッテリセル１２の位置（あるいは、複数の第２リード板２２のコンタクト部２０ａ）に合わせて、複数の開口部４０ａが形成されている。これにより、第２内側防水シート４０は、複数の第２リード板２２に設けられた複数のコンタクト部２２ａを、それぞれ取り囲んでいる。第２内側防水シート４０は、バッテリセル１２と第１リード板２０との間を密閉する。第２内側防水シート４０には、第２リード板２２に向けて突出するとともに、第２リード板２２の第３開口部２２ｃ又は第４開口部２２ｅを取り囲むリング状の突出部４０ｂ、４０ｅが設けられている。なお、第３開口部２２ｃを取り囲む突出部４０ｂは、第３開口部２２ｃだけでなく、第２リード板２２のコンタクト部２２ａの全体を取り囲んでいる。また、第２内側防水シート４０には、各々の突出部４０ｂ、４０ｅに対して、外側溝４０ｃ、４０ｆ及び内側溝４０ｄ、４０ｇが設けられている。これにより、バッテリセル１２と第２リード板２２との間の密閉性が高められている。
【００３８】
以上、いくつかの具体例を詳細に説明したが、これらは例示に過ぎず、特許請求の範囲を限定するものではない。特許請求の範囲に記載の技術には、以上に例示した具体例を様々に変形、変更したものが含まれる。本明細書又は図面に説明した技術要素は、単独であるいは各種の組合せによって技術的有用性を発揮するものである。
【符号の説明】
【００３９】
１０：バッテリパック
１２：バッテリセル
１４：バッテリホルダ
１６：回路基板
１８：ハウジング
２０：第１リード板
２０ａ：第１リード板のコンタクト部
２０ｃ、２０ｅ：第１リード板の開口部
２２：第２リード板
２２ａ：第２リード板のコンタクト部
２２ｃ、２２ｅ：第２リード板の開口部
２４：外部接続端子
２６：第１ホルダ本体
２８：第２ホルダ本体
３０：第１ホルダカバー
３２：第２ホルダカバー
３４：第１外側防水シート
３４ｂ、３４ｅ：第１外側防水シートのリング状の突出部
３６：第１内側防水シート
３６ｂ、３６ｅ：第１内側防水シートのリング状の突出部
３８：第２外側防水シート
３８ｂ、３８ｅ：第２外側防水シートのリング状の突出部
４０：第２内側防水シート
４０ｂ、４０ｅ：第２内側防水シートのリング状の突出部
【図１】
2020087874.tif 000003
【図２】
2020087874.tif 000004
【図３】
2020087874.tif 000005
【図４】
2020087874.tif 000006
【図５】
2020087874.tif 000007
【図６】
2020087874.tif 000008
【図７】
2020087874.tif 000009
【図８】
2020087874.tif 000010
【図９】
2020087874.tif 000011
【図１０】
2020087874.tif 000012
【図１１】
2020087874.tif 000013
【図１２】
2020087874.tif 000014